(57)【要約】【課題】  読取光学系を駆動する移動手段が備える駆動モータの温度上昇度の低減、寿命の延長を図った画像読取装置を提供する。【解決手段】  通紙経路を通過した原稿ａをランプ１で照射し、その画像情報をミラー２〜５で折り返し、レンズ１９を通してＣＣＤに入力する。第１ミラー２はランプ１と共に第１キャリッジ３を形成し、第２ミラー４、第３ミラー５は従動プーリ１５と共に第２キャリッジ６を形成する。キャリッジ３、６は、駆動ワイヤ１４でそれぞれ係止され、白基準板７やブック原稿を読みとる際は第１キャリッジ３、第２キャリッジ６が移動することにより読み取る。第１キャリッジ３を駆動する際には、ブック原稿読取時の駆動モータ１１の最大入力電流値より多くの電流を流す。短時間で白基準板７を読みとることができ、１回のシェーディングでの駆動モータ１１の動作時間を短くできる。【選択図】        図２
2006191393.tif 000002
【特許請求の範囲】
【請求項１】
読取光学系と、原稿搬送手段と、前記読取光学系を駆動するための駆動モータ等からなる移動手段とを備え、固定した原稿を前記読取光学系を移動させつつ読み取る第１モード及び前記読取光学系を固定して前記原稿搬送手段による搬送中の原稿を読み取る第２モードの両モードでの動作が可能な画像読取装置であって、読取原稿領域外に設けた白基準板を読み取って前記読取光学系の特性ムラを補正するシェーディング補正手段を備えた画像読取装置において、
前記第２モードでの動作時における前記白基準板読取時の前記駆動モータの電流値を、前記第１モードでの動作時における原稿読取時以上の値としたことを特徴とする画像読取装置。
【請求項２】
請求項１の画像読取装置において、前記第２モードでの動作時における前記白基準板読取時の前記読取光学系の駆動は、前記白基準板読取位置までとしたことを特徴とする画像読取装置。
【請求項３】
請求項１または２の画像読取装置において、前記第２モードでの動作時における前記白基準板読取時の前記読取光学系による前記白基準板読取速度を、該白基準板読取位置への移動速度以下としたことを特徴とする画像読取装置。
【請求項４】
読取光学系と、原稿搬送手段と、前記読取光学系を駆動するための移動手段とを備え、固定した原稿を前記読取光学系を移動させつつ読み取る第１モード及び前記読取光学系を固定して前記原稿搬送手段による搬送中の原稿を読み取る第２モードの両モードでの動作が可能な画像読取装置であって、読取原稿領域外に設けた白基準板を読み取って前記読取光学系の特性ムラを補正するシェーディング補正手段を備えた画像読取装置において、
前記第２モードでの動作時における前記白基準板読取時の前記読取光学系の駆動は、前記白基準板読取位置までとしたことを特徴とする画像読取装置。
【請求項５】
請求項４の画像読取装置において、前記第２モードでの動作時における前記白基準板読取時の前記読取光学系による前記白基準板読取速度を、該白基準板読取位置への移動速度以下としたことを特徴とする画像読取装置。
【請求項６】
読取光学系と、原稿搬送手段と、前記読取光学系を駆動するための移動手段とを備え、固定した原稿を前記読取光学系を移動させつつ読み取る第１モード及び前記読取光学系を固定して前記原稿搬送手段による搬送中の原稿を読み取る第２モードの両モードでの動作が可能な画像読取装置であって、読取原稿領域外に設けた白基準板を読み取って前記読取光学系の特性ムラを補正するシェーディング補正手段を備えた画像読取装置において、
前記第２モードでの動作時における前記白基準板読取時の前記読取光学系による前記白基準板読取速度を、該白基準板読取位置への移動速度以下としたことを特徴とする画像読取装置。
【請求項７】
請求項６の画像読取装置において、前記第２モードでの動作時における前記白基準板読取時の前記読取光学系の駆動は、前記白基準板読取位置までとしたことを特徴とする画像読取装置。
【請求項８】
請求項１から６のいずれかの画像読取装置を備えることを特徴とする画像形成装置。
【発明の詳細な説明】
【技術分野】
【０００１】
本発明は、読取光学系を移動させて固定した原稿を読み取るモードと、読取光学系を固定して原稿を搬送しつつ読み取るモードの両モードの動作が可能な画像読取装置と、これを用いた画像形成装置に関する。
【背景技術】
【０００２】
上述のような画像読取装置としては、例えばラインセンサによる読取手段を設け、ミラーを搭載したキャリッジを原稿に対して相対移動させ、ラインセンサを用いてライン毎に原稿画像を読み取る固定原稿読取可能なスキャナ上に、キャリッジをある読取位置に固定して、複数枚の原稿を一枚ずつ分離、搬送し、読取光軸上で原稿を相対移動させる自動原稿送り装置を搭載するものが数多く実用化されている。
【０００３】
このような画像読取装置においては、自動原稿送り装置によって原稿を連続的に読み取ることが可能であり、量が多い原稿の読み取り処理に大変便利である。
【０００４】
しかし、光学部品は連続読取を行うことによる温度上昇等の影響や経年劣化等により、その特性が変化するため、同じ原稿を読み取っても経時的に値が変化してしまう。特にランプについては、連続点灯における照度低下が大きい。そのため、照度変化率に応じて白基準板を読み取り、読み取りの値を補正するという技術が提案されている（例えば特許文献１参照）。
【特許文献１】特開２００２−２８１２５４号公報
【発明の開示】
【発明が解決しようとする課題】
【０００５】
しかしながら上述のように、照度低下率をモニタしながら判断を行うため、照度変動率を検出するための白基準板が必要であり、そのためコストアップになるだけでなく、照度低下したことを検知して補正を行うために、その直前のデータは補正できないという問題がある。
【０００６】
また、原稿を読み取った後、次の原稿を読み取るまでに白基準板の位置までキャリッジが移動する必要があるが、移動のために時間をかけてしまうと、単位時間に読み取ることができる原稿枚数が減少し、そのことにより生産性が低下してしまう。
【０００７】
また、原稿読取中はキャリッジの駆動モータを停止している。低電流で励磁しておくことはできるが、白基準板読取位置までキャリッジを移動させるためには、高電流が必要である。したがって、白基準板読取位置まで移動に長時間かかると、高電流を流す時間が長くなることにより、温度上昇し、光学部品等の寿命が低下するという不具合も発生する。
【０００８】
しかし、白基準板を高速で読み取ろうとすると、単位読取範囲あたりの読取ライン数（解像度）が小さくなり、読み取るライン数が少なくなってしまうため、白レベルの信頼性が低下する。
【０００９】
本発明は、このような従来技術の実情にかんがみてなしたもので、読取光学系を駆動する移動手段が備える駆動モータの温度上昇度の低減、寿命の延長を図ることを目的とする。また白レベルの信頼性を向上させることをも目的とする。
【課題を解決するための手段】
【００１０】
本発明に係る装画像読取置のうち請求項１に係るものは、読取光学系と、原稿搬送手段と、前記読取光学系を駆動するための駆動モータ等からなる移動手段とを備え、固定した原稿を前記読取光学系を移動させつつ読み取る第１モード及び前記読取光学系を固定して前記原稿搬送手段による搬送中の原稿を読み取る第２モードの両モードでの動作が可能な画像読取装置であって、読取原稿領域外に設けた白基準板を読み取って前記読取光学系の特性ムラを補正するシェーディング補正手段を備えた画像読取装置において、前記第２モードでの動作時における前記白基準板読取時の前記駆動モータの電流値を、前記第１モードでの動作時における原稿読取時以上の値としたことを特徴とする。
【００１１】
同請求項２に係るものは、請求項１の画像読取装置において、前記第２モードでの動作時における前記白基準板読取時の前記読取光学系の駆動は、前記白基準板読取位置までとしたことを特徴とする。
【００１２】
同請求項３に係るものは、請求項１または２の画像読取装置において、前記第２モードでの動作時における前記白基準板読取時の前記読取光学系による前記白基準板読取速度を、該白基準板読取位置への移動速度以下としたことを特徴とする。
【００１３】
同請求項４に係るものは、読取光学系と、原稿搬送手段と、前記読取光学系を駆動するための移動手段とを備え、固定した原稿を前記読取光学系を移動させつつ読み取る第１モード及び前記読取光学系を固定して前記原稿搬送手段による搬送中の原稿を読み取る第２モードの両モードでの動作が可能な画像読取装置であって、読取原稿領域外に設けた白基準板を読み取って前記読取光学系の特性ムラを補正するシェーディング補正手段を備えた画像読取装置において、前記第２モードでの動作時における前記白基準板読取時の前記読取光学系の駆動は、前記白基準板読取位置までとしたことを特徴とする。
【００１４】
同請求項５に係るものは、請求項４の画像読取装置において、前記第２モードでの動作時における前記白基準板読取時の前記読取光学系による前記白基準板読取速度を、該白基準板読取位置への移動速度以下としたことを特徴とする。
【００１５】
同請求項６に係るものは、読取光学系と、原稿搬送手段と、前記読取光学系を駆動するための移動手段とを備え、固定した原稿を前記読取光学系を移動させつつ読み取る第１モード及び前記読取光学系を固定して前記原稿搬送手段による搬送中の原稿を読み取る第２モードの両モードでの動作が可能な画像読取装置であって、読取原稿領域外に設けた白基準板を読み取って前記読取光学系の特性ムラを補正するシェーディング補正手段を備えた画像読取装置において、前記第２モードでの動作時における前記白基準板読取時の前記読取光学系による前記白基準板読取速度を、該白基準板読取位置への移動速度以下としたことを特徴とする。
【００１６】
同請求項７に係るものは、請求項６の画像読取装置において、前記第２モードでの動作時における前記白基準板読取時の前記読取光学系の駆動は、前記白基準板読取位置までとしたことを特徴とする。
【００１７】
同請求項８に係る画像形成装置は、請求項１から６のいずれかの画像読取装置を備えることを特徴とする。
【発明の効果】
【００１８】
本発明に係る画像読取装置と、これを用いた画像形成装置においては、高速かつ高加速で白基準板読取位置まで光学系を移動させることができ、高電流を必要とする時間を短くできるので、平均電流値を抑えることができ、光学系を駆動するためのモータの温度上昇度の低減、モータ寿命の延長の効果が得られる。
【００１９】
また原稿搬送手段による原稿読取時の白基準板読取速度を、白板読取位置への移動速度以下に抑えて、単位読取範囲あたりの読取ライン数（解像度）を大きくし、光学系の移動を短距離にすることを可能とし、また白レベルの信頼性を向上させ得る効果が得られる。
【発明を実施するための最良の形態】
【００２０】
以下本発明を実施するための最良の形態を、図に示す実施例を参照して説明する。
【実施例１】
【００２１】
図１は、本発明の実施対象の一例である画像形成装置であって、画像読取装置を備えたものを示す図である。図１に示す画像形成装置は主に、原稿を読み取る読み取りユニット１２１、画像を形成する画像形成部１２２、シートスルータイプの自動原稿送り装置（以下においてＡＤＦと言う。）１２３、ＡＤＦ１２３から送り出される原稿をスタックする原稿スタッカー９０、給紙カセット１２５ないし１２８を備える給紙部１２９、記録用紙をスタックする排紙トレイ１３０により構成してある。画像形成部１２２には、ベルト状をした中間転写ベルト１３１の上に複数の作像部１３２を並列配置し、各作像部１３２では、ドラム状をした感光体１３３の周囲に、感光体１３３の表面に帯電処理を行う帯電装置、画像情報を感光体１３３の表面にレーザ光で照射する露光装置、感光体１３３の表面に露光されて形成された静電潜像を可視化する現像装置、感光体１３３上に残留するトナーを除去回収するクリーニング装置等が配置してある。
【００２２】
なお図示の例は、作像部１３２が例えばイエロー（Ｙ）、マゼンタ（Ｍ）、シアン（Ｃ）、ブラック（ＢＫ）用のものとなっているカラー画像形成装置であり、中間転写ベルト１３１を回転させつつイエロー（Ｙ）からブラック（ＢＫ）までのトナーを順に現像して中間転写ベルト１３１に転写し、中間転写ベルト１３１上に現像された４色のトナー像を転写装置で用紙に転写するものであるが、本発明はこの例の画像形成装置には限定されず、種々のタイプのものに適用可能である。
【００２３】
図２は本発明に係る画像読取装置（図１の例では読み取りユニット１２１）の全体レイアウトを示す断面図である。
図中１はランプ、２は第１ミラー、３は第１キャリッジ、４は第２ミラー、５は第３ミラー、６は第２キャリッジ、７は白基準板、８はガラス押さえでもある原稿スケール、９はＡＤＦ用のコンタクトガラス、１０はコンタクトガラスである。また図中１１はキャリッジ３、６駆動用の駆動モータ、１２は駆動伝達ベルト、１３は駆動ワイヤを掛け回すプーリ、１４は駆動ワイヤ、１５は第２キャリッジの従動プーリ、１６はホームポジション側の従動プーリ、１７はＣＣＤ側の従動プーリ、１８はワイヤテンションスプリングである。また図中１９はレンズ、２０はＣＣＤ、２１はＣＣＤ基板である。そして、ａは図１に示すようなシートスルータイプＡＤＦによる通紙経路を通過する原稿を示し、ｂは光路を示す。
【００２４】
本例では、図１に示したようなシートスルータイプＡＤＦ等により、通紙経路を通過した原稿ａをランプ１で照射し、その画像情報を第１ミラー２、第２ミラー４、第３ミラー５で折り返し、レンズ１９を通してＣＣＤに入力する。また、ミラーはそれぞれ、第１ミラー２はランプ１と共に第１キャリッジ３を形成し、第２ミラー４、第３ミラー５は従動プーリ１５と共に第２キャリッジ６を形成している。またキャリッジ３、６は、駆動ワイヤ１４でそれぞれ係止され、白基準板７やブック原稿を読みとる際は第１キャリッジ３、第２キャリッジ６が移動することにより読み取ることができる。駆動ワイヤ１４は、ワイヤテンションスプリング１８により荷重が加えられ、駆動モータ１１によって、駆動伝達ベルト１２、駆動（ワイヤ）プーリ１３を介し、動作を行う。
【００２５】
図３は本実施例の第１の動作を説明するための拡大図（Ａ）とキャリッジの速度変動グラフ図（Ｂ）である。第１キャリッジ３を駆動する際には、ブック原稿読取時の駆動モータ１１の最大入力電流値より多くの電流を流すようにしている。このことにより、短時間で白基準板７を読みとることができ、１回のシェーディングでの駆動モータ１１の動作時間を短くすることができる。
【００２６】
図４は本実施例の第２の動作を説明するための拡大図（Ａ）とキャリッジの速度変動グラフ図（Ｂ）である。第１キャリッジ３を駆動する際、キャリッジ移動距離を最短距離（白基準板７のデータ必要最小量のみ移動）としている。このことにより、短時間で白基準板７を読みとるため、１回のシェーディングでの駆動モータ１１の動作時間を短くすることができる。
【００２７】
図５は本実施例の第３の動作を説明するための拡大図（Ａ）とキャリッジの速度変動グラフ図（Ｂ）である。第１キャリッジ３を駆動する際、キャリッジ移動時の速度を白基準板７の読取時のみ低速とし、移動時速度は最大としている。それにより１回のシェーディングでの駆動モータ１１の動作時間を短くし、なおかつ白基準板７の読取ライン数を増やすことができる。
【図面の簡単な説明】
【００２８】
【図１】本発明の実施対象の一例である画像形成装置であって、画像読取装置を備えたものを示す図
【図２】本発明に係る画像読取装置の全体レイアウトを示す断面図
【図３】本実施例の第１の動作を説明するための拡大図（Ａ）とキャリッジの速度変動グラフ図（Ｂ）
【図４】本実施例の第２の動作を説明するための拡大図（Ａ）とキャリッジの速度変動グラフ図（Ｂ）
【図５】本実施例の第３の動作を説明するための拡大図（Ａ）とキャリッジの速度変動グラフ図（Ｂ）
【符号の説明】
【００２９】
１：ランプ
２：第１ミラー
３：第１キャリッジ
４：第２ミラー
５：第３ミラー
６：第２キャリッジ
７：白基準板
８：原稿スケール
９：ＡＤＦ用のコンタクトガラス
１０：コンタクトガラス
１１：駆動モータ
１２：駆動伝達ベルト
１３：プーリ
１４：駆動ワイヤ
１５：従動プーリ
１６：従動プーリ
１７：従動プーリ
１８：ワイヤテンションスプリング
１９：レンズ
２０：ＣＣＤ
２１：ＣＣＤ基板
１２１：読み取りユニット
１２２：画像形成部
１２３：自動原稿送り装置（ＡＤＦ）
９０：原稿スタッカー
１２５〜１２８：給紙カセット
１２９：給紙部
１３０：排紙トレイ
１３１：中間転写ベルト
１３２：作像部
１３３：感光体
ａ：ＡＤＦによる通紙経路を通過する原稿
ｂ：光路
【図１】
2006191393.tif 000003
【図２】
2006191393.tif 000004
【図３】
2006191393.tif 000005
【図４】
2006191393.tif 000006
【図５】
2006191393.tif 000007